(57)【要約】【課題】ネットワークに対する作業が開始された後にネットワークの状態が変化しても、ネットワークによる通信が不安定になることを回避すること。【解決手段】作業管理装置は、ネットワークのパフォーマンスに影響を与える可能性がある作業の開始が認識された後において少なくとも一回、作業の対象設備の状態を示す第１情報を取得する第１情報取得部と、作業の開始が認識された後において少なくとも一回、ネットワーク全体の状態を示す第２情報を取得する第２情報取得部と、第２情報の変化を契機として、第１情報及び第２情報の少なくとも一方に基づいてネットワークの状態のシミュレーションを実行する実行部と、シミュレーションの結果、作業が継続された場合、作業がパフォーマンスに影響を与えているか否か、及びその可能性があるか否かの少なくとも一方を判断する判断部と、判断部が判断した結果を出力する出力部と、を備える。【選択図】図１
2019109564.tif 000002
【特許請求の範囲】
【請求項１】
ネットワークのパフォーマンスに影響を与える可能性がある作業の開始が認識された後において少なくとも一回、前記作業の対象設備の状態を示す第１情報を取得する第１情報取得部と、
前記作業の開始が認識された後において少なくとも一回、前記ネットワーク全体の状態を示す第２情報を取得する第２情報取得部と、
前記第２情報の変化を契機として、前記第１情報及び前記第２情報の少なくとも一方に基づいて前記ネットワークの状態のシミュレーションを実行させる実行部と、
前記シミュレーションの結果、前記作業が継続された場合、前記作業が前記パフォーマンスに影響を与えるか否か、及び前記作業が前記パフォーマンスに影響を与える可能性があるか否かの少なくとも一方を判断する判断部と、
前記判断部が判断した結果を出力する出力部と、
を備える作業管理装置。
【請求項２】
前記第２情報は、前記ネットワークのトラフィック、前記ネットワークのトラフィックフロー、前記ネットワークの構成、前記ネットワークの設計値及び前記ネットワークに含まれるノードの状態の少なくとも一つを示す情報を含む、請求項１に記載の作業管理装置。
【請求項３】
前記ネットワークは、ＯＳＩ７階層参照モデルのネットワーク層及びデータリンク層の少なくとも一方を含むネットワークである、請求項１又は２に記載の作業管理装置。
【請求項４】
前記出力部は、前記作業が前記パフォーマンスに影響を与えている、又は前記作業が前記パフォーマンスに影響を与える可能性があると判断された場合、前記パフォーマンスへの影響の度合いに応じて、出力する内容を変化させる、請求項１から３のいずれか一つに記載の作業管理装置。
【請求項５】
前記出力部は、前記パフォーマンスへの影響の度合いに応じて、前記作業の中止、前記作業の中断、前記作業の継続又は前記作業前の状態への復帰を示す情報を出力する、請求項４に記載の作業管理装置。
【請求項６】
ネットワークのパフォーマンスに影響を与える可能性がある作業の開始が認識された後において少なくとも一回、前記作業の対象設備の状態を示す第１情報を取得する第１情報取得ステップと、
前記作業の開始が認識された後において少なくとも一回、前記ネットワーク全体の状態を示す第２情報を取得する第２情報取得ステップと、
前記第２情報の変化を契機として、前記第１情報及び前記第２情報の少なくとも一方に基づいて前記ネットワークの状態のシミュレーションを実行する実行ステップと、
前記シミュレーションの結果、前記作業が継続された場合、前記作業が前記パフォーマンスに影響を与えているか否か、及び前記作業が前記パフォーマンスに影響を与える可能性があるか否かの少なくとも一方を判断する判断ステップと、
前記判断ステップにおいて判断された結果を出力する出力ステップと、
を含む、作業管理方法。
【請求項７】
コンピュータを、請求項１から５のいずれか一つに記載の作業管理装置として機能させるためのプログラム。
【発明の詳細な説明】
【技術分野】
【０００１】
本発明は、作業管理装置、作業管理方法及びプログラムに関する。
【背景技術】
【０００２】
現在では、ネットワークの利用が普及しているため、ネットワークの構成機器や接続ケーブルの状態を考慮し、ネットワークが構成機器や接続ケーブルの不具合の影響を受ける範囲をシミュレーションする技術が重要になっている。例えば、特許文献１には、複数の構成機器を接続ケーブルにより接続してネットワーク構成したネットワークシステムにおいて、ネットワーク構成の全経路パターンを「表」として抽出した後、その経路で利用する構成機器及び接続ケーブルの状態により、経路パターンの正常／異常からシステム機能が受ける影響範囲をシミュレーションすることを特徴とするネットワークシステムの障害発生シミュレーション方法が開示されている。
【先行技術文献】
【特許文献】
【０００３】
【特許文献１】特開２００４−３１２２２４号公報
【発明の概要】
【発明が解決しようとする課題】
【０００４】
ところで、ネットワークの構成機器や接続ケーブルに対して作業を実施する必要が日常的に発生する。上述したネットワークシステムの障害発生シミュレーション方法は、ネットワークの構成機器や接続ケーブルに対して作業を計画する際に有効である。
【０００５】
しかしながら、ネットワークの状態は、作業が開始された後においても、例えば、新しい携帯端末の販売開始に伴うオペレーティングシステム（ＯＳ：Operating System）の配信や動画配信サービスの開始により刻一刻と変化する。このため、作業が計画された後にネットワークの状態が変化している状況下で作業が実施された場合、ネットワークによる通信が不安定になってしまうことがある。
【０００６】
そこで、本発明は、ネットワークに対する作業が開始された後にネットワークの状態が変化しても、ネットワークによる通信が不安定になることを回避することができる作業管理装置、作業管理方法及びプログラムを提供することを目的とする。
【課題を解決するための手段】
【０００７】
本発明の一態様に係る作業管理装置は、ネットワークのパフォーマンスに影響を与える可能性がある作業の開始が認識された後において少なくとも一回、前記作業の対象設備の状態を示す第１情報を取得する第１情報取得部と、前記作業の開始が認識された後において少なくとも一回、前記ネットワーク全体の状態を示す第２情報を取得する第２情報取得部と、前記第２情報の変化を契機として、前記第１情報及び前記第２情報の少なくとも一方に基づいて前記ネットワークの状態のシミュレーションを実行させる実行部と、前記シミュレーションの結果、前記作業が継続された場合、前記作業が前記パフォーマンスに影響を与えているか否か、及び前記作業が前記パフォーマンスに影響を与える可能性があるか否かの少なくとも一方を判断する判断部と、前記判断部が判断した結果を出力する出力部と、を備える。
【０００８】
本発明の一態様に係る作業管理方法は、ネットワークのパフォーマンスに影響を与える可能性がある作業の開始が認識された後において少なくとも一回、前記作業の対象設備の状態を示す第１情報を取得する第１情報取得ステップと、前記作業の開始が認識された後において少なくとも一回、前記ネットワーク全体の状態を示す第２情報を取得する第２情報取得ステップと、前記第２情報の変化を契機として、前記第１情報及び前記第２情報の少なくとも一方に基づいて前記ネットワークの状態のシミュレーションを実行する実行ステップと、前記シミュレーションの結果、前記作業が継続された場合、前記作業が前記パフォーマンスに影響を与えているか否か、及び前記作業が前記パフォーマンスに影響を与える可能性があるか否かの少なくとも一方を判断する判断ステップと、前記判断ステップにおいて判断された結果を出力する出力ステップと、を含む。
【０００９】
本発明の一態様に係るプログラムは、コンピュータを、上述した作業管理装置として機能させる。
【発明の効果】
【００１０】
本発明によれば、ネットワークに対する作業が開始された後にネットワークの状態が変化しても、ネットワークによる通信が不安定になることを回避することができる。
【図面の簡単な説明】
【００１１】
【図１】図１は、実施形態に係るシミュレーション装置、監視装置、ネットワーク及び作業管理装置と、これらの接続関係の例を示す図である。
【図２】図２は、実施形態に係るネットワークのパフォーマンスに影響を与える可能性がある作業の工程の例を示す図である。
【図３】図３は、実施形態に係るネットワークのバックボーン、エリアネットワーク及びノードと、これらの接続関係の例を示す図である。
【図４】図４は、実施形態に係る作業管理装置が行う処理の例を示すフローチャートである。
【発明を実施するための形態】
【００１２】
添付図面を参照して、本発明の好適な実施形態について説明する。なお、各図において、同一の符号を付したものは、同一又は同様の構成を有する。
【００１３】
［実施形態］
まず、図１から図３を参照しながら、実施形態に係るシミュレーション装置２、監視装置１、ネットワーク３及び作業管理装置４について説明する。図１は、実施形態に係るシミュレーション装置、監視装置、ネットワーク及び作業管理装置と、これらの接続関係の例を示す図である。図２は、実施形態に係るネットワークのパフォーマンスに影響を与える可能性がある作業の工程の例を示す図である。
【００１４】
監視装置１は、適宜、ネットワーク３のノード、例えば、ルータのインターフェースやルータに接続されたスイッチから第１情報を取得する。第１情報とは、作業の対象設備の状態を示す情報であり、例えば、ルータがエンジンを切り替える際に出力される信号、ルータが備えるＡＳＩＣ（Application Specific Integrated Circuit）に接続されたバスから出力される信号である。また、監視装置１は、適宜、ネットワーク３から第２情報を取得する。第２情報とは、ネットワーク３全体の状態を示す情報である。
【００１５】
シミュレーション装置２は、ネットワーク３のノードで作業が実施されている状態やネットワーク３で障害が発生している状態で種々の場合を想定し、ネットワーク３全体の状態のシミュレーションを行う。ここで、種々の場合とは、例えば、ネットワーク３のノードで天災等により障害が発生した場合、ノードに関連する機器の変更、追加又は除去が実施された場合、新しいＯＳの配布、新しい動画配信サービスの開始等のイベントが発生した場合をいう。障害とは、例えば、通信が不可能となるノードが発生する事象及びネットワーク３の回線のトラフィックが逼迫する事象、例えば、当該トラフィックが既定値を超過する事象である。ネットワーク３全体の状態とは、例えば、ネットワーク３を構成する各回線のトラフィック、各回線のトラフィックフロー、各回線の設計値、ネットワーク３に含まれるノードの状態、ネットワーク３のノード間の通信の可否をいう。また、ノードとは、ルータ等のデータ端末装置である。
【００１６】
シミュレーション装置２は、例えば、時間帯、各回線の設計値、トラフィック及び帯域占有率、各ノードの配下のクライアントの数及び種別、各回線におけるダークファイバーの有無及び性能、ネットワーク３の物理構成及び論理構成、ネットワーク３が含むデータリンク層のＭＡＣアドレス（Media Access Control Address）、ネットワーク３が含むネットワーク層のＩＰアドレス（Internet Protocol Address）、ノードから収集される障害に関する情報を考慮してシミュレーションを行うことができる。
【００１７】
ここで、設計値とは、各回線に割り当てられたパラメータである。例えば、ネットワーク３がプロトコルとしてＯＳＰＦ（Open Shortest Path First）を採用している場合、このパラメータが大きい程、データが流れ難くなる。設計値は、ダイクストラ法で言うコスト又は重みを意味する。ＭＡＣアドレスとは、ネットワーク３上で各ノードを識別するためにネットワーク３を構成するハードウエアに割り当てられた物理アドレスである。また、ＩＰアドレスとは、パケットを送受信するハードウエアを判別するための論理アドレスである。
【００１８】
シミュレーション装置２は、例えば、ネットワーク３の各回線のトラフィックのシミュレーションを行う際にＭＡＣアドレス及びＩＰアドレスの少なくとも一方を使用する。また、シミュレーション装置２は、ネットワーク３で発生した物理的な障害が誘発する論理的な障害がネットワーク３に与える影響についてもシミュレーションを行うことができる。さらに、シミュレーション装置２は、作業が開始された後、例えば、シミュレーション装置２は、図２に示した作業開始時から作業終了時までの間にネットワーク３の状態のシミュレーションを少なくとも一回行うことができる。
【００１９】
また、シミュレーション装置２は、畳み込みシミュレーションを行うことができる。ここで、畳み込みシミュレーションとは、一つの作業と一つの障害が発生している場合において、他のノードで障害が発生した場合を想定したシミュレーションである。
【００２０】
ネットワーク３は、例えば、ＯＳＩ７階層参照モデルの物理層、データリンク層及びネットワーク層の少なくとも一つを含むネットワークである。また、ネットワーク３は、他の階層のネットワークでもよく、物理ネットワーク及び論理ネットワークを含む。
【００２１】
図３は、実施形態に係るネットワークのバックボーン、エリアネットワーク及びノードと、これらの接続関係の例を示す図である。図３に示すように、ネットワーク３は、例えば、バックボーン３１と、エリアネットワーク３２とを備える。エリアネットワーク３２は、ノード３２ａ、ノード３２ｂ、ノード３２ｃ、ノード３２ｄ、ノード３２ｅ及びノード３２ｆを備える。
【００２２】
バックボーン３１は、ネットワーク３の中核をなす基幹回線であり、例えば、図３に示すように、ノード３２ａ及びノード３２ｆと相互に通信可能に接続されている。エリアネットワーク３２は、バックボーン３１から各クライアントまで延びている通信回線網であり、例えば、図３に示すように、環状に接続され、隣接するノードと相互に通信可能な六つのノードを備える。各クライアントまで通信回線は、例えば、これらの六つノードのいずれか一つから延びている。
【００２３】
作業管理装置４は、図１に示すように、認識部４１と、第１情報取得部４２と、第２情報取得部４３と、実行部４４と、判断部４５と、出力部４６とを備える。
【００２４】
認識部４１は、ネットワーク３のパフォーマンスに影響を与える可能性がある作業の登録を受け付け、当該作業の開始を認識する。例えば、認識部４１は、端末に入力された情報に基づいて、作業の計画時におけるシミュレーションの結果、作業員により実施可能と判断された作業の登録を受け付け、当該作業の開始を認識する。
【００２５】
第１情報取得部４２は、ネットワーク３のパフォーマンスに影響を与える可能性がある作業の開始が認識された後において少なくとも一回、更に好ましくは、リアルタイムに作業の対象設備の状態を示す第１情報を監視装置１から取得する。ここで言う作業の開始とは、作業員が実際に作業に着手することである。
【００２６】
第２情報取得部４３は、作業の開始が認識された後において少なくとも一回、更に好ましくは、リアルタイムにネットワーク３全体の状態を示す第２情報を監視装置１から取得する。ここで言う作業の開始は、上述したものと同様である。
【００２７】
実行部４４は、第１情報及び第２情報の少なくとも一方に基づいてネットワーク３の状態のシミュレーションをシミュレーション装置２に実行させ、当該シミュレーションの結果を取得する。例えば、実行部４４は、図２に示した作業の開始から作業の終了までの間、リアルタイムにシミュレーションを実行させ、当該シミュレーションの結果をリアルタイムに取得し続ける。なお、実行部４４は、第２情報の変化を契機として、当該シミュレーションを実行させてもよい。
【００２８】
判断部４５は、認識部４１により認識された作業が開始されたか否か、及び当該作業が終了しているか否かを判断する。また、判断部４５は、シミュレーションの結果、当該作業が継続された場合、当該作業がネットワーク３のパフォーマンスに影響を与えるか否か、及び当該作業がネットワーク３のパフォーマンスに影響を与える可能性があるか否かの少なくとも一方を判断する。
【００２９】
例えば、判断部４５は、図２に示した第４工程において通信が不可能となるノードが発生する場合、認識部４１が登録を受け付けた作業がネットワーク３のパフォーマンスに影響を与える又はその可能性があると判断することができる。
【００３０】
具体的には、図３に示したノード３２ａで通信の遮断を伴う作業が実施されている際に、ノード３２ｆで通信を遮断する障害が発生した場合、ノード３２ｂ、ノード３２ｃ、ノード３２ｄ及びノード３２ｅは、通信が不可能なノードとなってしまう。同様に、ノード３２ａで通信の遮断を伴う作業が実施されている際に、ノード３２ｅで通信を遮断する障害が発生した場合、ノード３２ｂ、ノード３２ｃ及びノード３２ｄは、通信が不可能なノードとなってしまう。ノード３２ｄ又はノード３２ｃで通信を遮断する障害が発生した場合も同様である。したがって、これらの場合、判断部４５は、ノード３２ａでの作業がネットワーク３のパフォーマンスに影響を与える又はその可能性があると判断する。
【００３１】
出力部４６は、判断部４５が判断した結果を出力する。また、出力部４６は、認識部４１により認識された作業がパフォーマンスに影響を与えている、又は当該作業がパフォーマンスに影響を与える可能性があると判断された場合、パフォーマンスへの影響の度合いに応じて、出力する内容を変化させてもよい。さらに、出力部４６は、認識部４１が登録を受け付けた作業がネットワーク３のパフォーマンスに影響を与える又はその可能性があると判断された場合、速やかに判断部４５が判断した結果を出力することが好ましい。
【００３２】
なお、パフォーマンスへの影響の度合いとは、例えば、パフォーマンスの低下の影響を受けるクライアントの数及び種別、過去に発生したパフォーマンスの低下の事例、ネットワーク３のノードから取得される信号の種類に基づいて算出される。
【００３３】
また、例えば、出力部４６は、パフォーマンスへの影響の度合いに応じて、作業の中止、作業の中断、作業の継続又は作業前の状態への復帰を示す情報を出力してもよい。
【００３４】
ここで、作業の中止を示す情報は、これから進める予定であった作業を取りやめるよう促す情報である。また、作業の中断を示す情報は、現在進行している作業を一旦停止させ、ネットワーク３のパフォーマンスに影響を与える可能性が無くなってから作業を再開するよう促す情報である。作業の継続を示す情報は、完了していない残りの工程を全て完了させるよう促す情報である。
【００３５】
作業前の状態への復帰を示す情報は、例えば、図２に示した第１工程が完了しており第２工程が進行中である場合、ネットワーク３を第１工程が行われる前の状態に戻すよう促す情報である。また、作業前の状態への復帰を示す情報は、図２に示した第６工程が完了した後に出力されることもある。なぜなら、作業の全工程が完了した後に初期不良が発生することがあるからである。
【００３６】
また、出力部４６は、ネットワーク３のパフォーマンスに影響を与える可能性がある作業を停止させる信号を送信してもよい。この信号は、例えば、ネットワーク３に対する作業がターミナルソフトウエアを使用した論理的な作業である場合、ターミナルソフトウエアに直接働きかけ、当該論理的な作業を停止させる。
【００３７】
図４を参照しながら、実施形態に係る作業管理装置４が行う処理の例を説明する。図４は、実施形態に係る作業管理装置が行う処理の例を示すフローチャートである。
【００３８】
ステップＳ１において、認識部４１は、ネットワーク３のパフォーマンスに影響を与える可能性がある作業の登録を受け付ける。
【００３９】
ステップＳ２において、判断部４５は、ステップＳ１で登録された作業の開始が認識されたか否かを判断する。判断部４５は、当該作業の開始が認識されたと判断した場合（ステップＳ２：Ｙｅｓ）、処理をステップＳ３へ進め、当該作業の開始が認識されていないと判断した場合（ステップＳ２：Ｎｏ）、当該作業の開始が認識されたと判断するまで待機する。
【００４０】
ステップＳ３では、第１情報取得部４２が第１情報の取得を開始し、第２情報取得部４３が第２情報の取得を開始し、実行部４４がこれらの情報に基づくシミュレーションの実行を開始させる。
【００４１】
ステップＳ４において、判断部４５は、ステップＳ１で認識された作業が継続された場合、当該作業がネットワーク３のパフォーマンスに影響を与えるか否かを判断する。判断部４５は、当該作業がネットワーク３のパフォーマンスに影響を与えると判断した場合（ステップＳ４：Ｙｅｓ）、処理をステップＳ７へ進め、当該作業がネットワーク３のパフォーマンスに影響を与えないと判断した場合（ステップＳ４：Ｎｏ）、処理をステップＳ５へ進める。
【００４２】
ステップＳ５において、判断部４５は、ステップＳ１で認識された作業が継続された場合、当該作業がネットワーク３のパフォーマンスに影響を与える可能性があるか否かを判断する。判断部４５は、当該可能性があると判断した場合（ステップＳ５：Ｙｅｓ）、処理をステップＳ７へ進め、当該可能性がないと判断した場合（ステップＳ５：Ｎｏ）、処理をステップＳ６へ進める。
【００４３】
ステップＳ６において、判断部４５は、ステップＳ１で認識された作業が終了しているか否かを判断する。判断部４５は、当該作業が終了していると判断した場合（ステップＳ６：Ｙｅｓ）、処理をステップＳ８へ進め、当該作業が終了していないと判断した場合（ステップＳ６：Ｎｏ）、処理をステップＳ４に戻す。
【００４４】
ステップＳ７において、出力部４６は、判断部４５により判断された結果を出力する。
【００４５】
ステップＳ８では、第１情報取得部４２が第１情報の取得を終了し、第２情報取得部４３が第２情報の取得を終了し、実行部４４がこれらの情報に基づくシミュレーションの実行を終了させる。
【００４６】
なお、作業管理装置４は、上述したステップＳ４又はステップＳ５を省略してもよい。作業管理装置４は、ステップＳ４を省略する場合、ステップＳ３の後にステップＳ５を実行し、ステップＳ３で当該作業が終了していないと判断された後（ステップＳ６：Ｎｏ）にステップＳ５を実行する。また、作業管理装置４は、ステップＳ５を省略する場合、ステップＳ４で当該作業が継続された場合、当該作業がネットワーク３のパフォーマンスに影響を与えると判断された後（ステップＳ４：Ｎｏ）にステップＳ６を実行する。
【００４７】
以上、本発明の一例である実施形態について説明した。作業管理装置４は、ネットワーク３のパフォーマンスに影響を与える可能性がある作業の開始が認識された後において少なくとも一回、作業の対象設備の状態を示す第１情報を取得する第１情報取得部４２と、作業の開始が認識された後において少なくとも一回、ネットワーク３全体の状態を示す第２情報を取得する第２情報取得部４３と、第２情報の変化を契機として、第１情報及び第２情報の少なくとも一方に基づいてネットワーク３の状態のシミュレーションを実行する実行部４４と、シミュレーションの結果、作業が継続された場合、作業がパフォーマンスに影響を与えているか否か、及び作業がパフォーマンスに影響を与える可能性があるか否かの少なくとも一方を判断する判断部４５と、判断部が判断した結果を出力する出力部４６と、を備える。
【００４８】
このため、作業管理装置４は、ネットワーク３に対する作業が開始された後にネットワーク３の状態が変化した場合、ネットワーク３による通信が不安定になる可能性があることを示す情報を出力することができる。したがって、作業管理装置４は、当該作業の作業員、監督者、ネットワーク３の管理者等に対し、当該作業の中止、中段又は当該作業前の状態への復帰を促し、ネットワーク３による通信が不安定な状態に陥ることを回避することができる。
【００４９】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００５０】
１…監視装置、２…シミュレーション装置、３…ネットワーク、３１…バックボーン、３２…エリアネットワーク、３２ａ，３２ｂ，３２ｃ，３２ｄ，３２ｅ，３２ｆ…ノード、４…作業管理装置、４１…認識部、４２…第１情報取得部、４３…第２情報取得部、４４…実行部、４５…判断部、４６…出力部
【図１】
2019109564.tif 000003
【図２】
2019109564.tif 000004
【図３】
2019109564.tif 000005
【図４】
2019109564.tif 000006
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
ネットワークのパフォーマンスに影響を与える可能性がある作業の開始が認識された後において少なくとも一回、前記作業の対象設備の状態を示す第１情報を取得する第１情報取得部と、
前記作業の開始が認識された後において少なくとも一回、前記ネットワーク全体の状態を示す第２情報を取得する第２情報取得部と、
前記第２情報に変化があったことを契機として、前記第１情報及び前記第２情報の少なくとも一方に基づいて前記ネットワークの状態のシミュレーションを実行させる実行部と、
前記シミュレーションの結果、前記作業が継続された場合、前記作業が前記パフォーマンスに影響を与えるか否か、及び前記作業が前記パフォーマンスに影響を与える可能性があるか否かの少なくとも一方を判断する判断部と、
前記判断部が判断した結果を出力する出力部と、
を備える作業管理装置。
【請求項２】
前記第２情報は、前記ネットワークのトラフィック、前記ネットワークのトラフィックフロー、前記ネットワークの構成、前記ネットワークの設計値及び前記ネットワークに含まれるノードの状態の少なくとも一つを示す情報を含む、請求項１に記載の作業管理装置。
【請求項３】
前記ネットワークは、ＯＳＩ７階層参照モデルのネットワーク層及びデータリンク層の少なくとも一方を含むネットワークである、請求項１又は２に記載の作業管理装置。
【請求項４】
前記出力部は、前記作業が前記パフォーマンスに影響を与えている、又は前記作業が前記パフォーマンスに影響を与える可能性があると判断された場合、前記パフォーマンスへの影響の度合いに応じて、出力する内容を変化させる、請求項１から３のいずれか一つに記載の作業管理装置。
【請求項５】
前記出力部は、前記パフォーマンスへの影響の度合いに応じて、前記作業の中止、前記作業の中断、前記作業の継続又は前記作業前の状態への復帰を示す情報を出力する、請求項４に記載の作業管理装置。
【請求項６】
コンピュータに、
ネットワークのパフォーマンスに影響を与える可能性がある作業の開始が認識された後において少なくとも一回、前記作業の対象設備の状態を示す第１情報を取得する第１情報取得ステップと、
前記作業の開始が認識された後において少なくとも一回、前記ネットワーク全体の状態を示す第２情報を取得する第２情報取得ステップと、
前記第２情報に変化があったことを契機として、前記第１情報及び前記第２情報の少なくとも一方に基づいて前記ネットワークの状態のシミュレーションを実行する実行ステップと、
前記シミュレーションの結果、前記作業が継続された場合、前記作業が前記パフォーマンスに影響を与えているか否か、及び前記作業が前記パフォーマンスに影響を与える可能性があるか否かの少なくとも一方を判断する判断ステップと、
前記判断ステップにおいて判断された結果を出力する出力ステップと、
を実行させる、
作業管理方法。
【請求項７】
コンピュータを、請求項１から５のいずれか一つに記載の作業管理装置として機能させるためのプログラム。
【手続補正２】
【補正対象書類名】明細書
【補正対象項目名】０００７
【補正方法】変更
【補正の内容】
【０００７】
本発明の一態様に係る作業管理装置は、ネットワークのパフォーマンスに影響を与える可能性がある作業の開始が認識された後において少なくとも一回、前記作業の対象設備の状態を示す第１情報を取得する第１情報取得部と、前記作業の開始が認識された後において少なくとも一回、前記ネットワーク全体の状態を示す第２情報を取得する第２情報取得部と、前記第２情報に変化があったことを契機として、前記第１情報及び前記第２情報の少なくとも一方に基づいて前記ネットワークの状態のシミュレーションを実行させる実行部と、前記シミュレーションの結果、前記作業が継続された場合、前記作業が前記パフォーマンスに影響を与えているか否か、及び前記作業が前記パフォーマンスに影響を与える可能性があるか否かの少なくとも一方を判断する判断部と、前記判断部が判断した結果を出力する出力部と、を備える。
【手続補正３】
【補正対象書類名】明細書
【補正対象項目名】０００８
【補正方法】変更
【補正の内容】
【０００８】
本発明の一態様に係る作業管理方法は、コンピュータに、ネットワークのパフォーマンスに影響を与える可能性がある作業の開始が認識された後において少なくとも一回、前記作業の対象設備の状態を示す第１情報を取得する第１情報取得ステップと、前記作業の開始が認識された後において少なくとも一回、前記ネットワーク全体の状態を示す第２情報を取得する第２情報取得ステップと、前記第２情報に変化があったことを契機として、前記第１情報及び前記第２情報の少なくとも一方に基づいて前記ネットワークの状態のシミュレーションを実行する実行ステップと、前記シミュレーションの結果、前記作業が継続された場合、前記作業が前記パフォーマンスに影響を与えているか否か、及び前記作業が前記パフォーマンスに影響を与える可能性があるか否かの少なくとも一方を判断する判断ステップと、前記判断ステップにおいて判断された結果を出力する出力ステップと、を実行させる。